(57)【要約】【課題】全生命全人類の永遠の生存を脅かす現在の世界を見るにやむを得ず。ここに永久動力機の出願に至りました。化石燃料は燃やせばＣＯ２が生産され、地球汚染に至る。原子力発電に至っては、通常運転で使用済み燃料等の高レベルの放射性物質を生産する。この放射性物質こそが、地球上に山積みとなり、何百年、何万年経ても減少せず、又あらゆる生物の細胞等を破壊し、人類の滅亡に至らすことに心を砕き、仏法を学する者の使命としてこれらを止められるならと代替として永久動力機をここに発案に至った次第です。【解決手段】  基本枠を支柱２（１）、支柱２（２）最上部へ桁３ボルトで連結する。支柱２（１）、支柱２（２）上部に、ベヤリング１２（Ａ）を付設。そのベヤリング１２Ａにシャフト５（Ａ）に、ホイル６（Ａ）を等間隔に付設したシャフト５（Ａ）を、上記のベヤリング１２（Ａ）に送入付設する。さらに支柱２（１）、支柱２（２）下部にベヤリング１２（Ｂ）を付設、そのベヤリング１２（Ｂ）にシャフト５（Ｂ）にホイル６（Ｂ）を等間隔に付設したシャフト５（Ｂ）送入付設し、さらに水槽を支柱２（１）と支柱２（２）の付設位置へ付設。上記シャフト５（Ａ）にホイル６（Ａ）の上部、シャフト５（Ｂ）ホイル６（Ｂ）へ空気入りボンベ１６連連なりを７列付設。１箇の重量は５０キロ、浮力側は５６箇中水槽の中に常時２８箇が入り、浮力側は１４００キロ。対比する重力側の２８箇は常時１４００キロ重量と成る。したがって重力側の１４００キロが回転運動と成る。浮力側の水中外ボンベ８と重力側対比外のボンベ８は動輪として常時動く。上記回転運動を発電機へ接続する。発電を行う永久エネルギーを開発します。さらに上記のボンベ数、ボンベの太さ等々を変換することで、力量は無限と成る。【特許請求の範囲】
【請求項１】
基本枠を設置するための基礎部を設け、基本枠を設置する。その基本枠に支柱２（１）、支柱２（２）の上部のホイル６（Ａ）付シャフト５（Ａ）を上部ベヤリングに１２へ送入付設、さらに支柱２（１）、支柱２（２）の下部のホイル６（Ｂ）付シャフト５（Ｂ）を下部のベヤリング１２へ送入付設、その上部のホイル６（Ａ）より水槽のシリンダー７へボンベ８の７係合したボンベを通し、下部のホイル６（Ｂ）へ付設する、上部のホイル６（Ａ）へ係合したボンベ７連を、下部のホイル６（Ｂ）に付設位置へ付設し、さらにホイル６（Ａ）上支点、ホイル６（Ｂ）した支柱を境に、浮力側と重力側に分かれる、ボンベ８の１箇の重量は５０キロ。浮力側ボンベ８が５６箇中ボンベ２８箇は常時水槽４に入るボンベ８の２８箇は１４００キロの浮力が働く、残りの水槽外のボンベ８は常時動輪として働く、さらにボンベ８がシリンダー７から水槽に入る時の水圧が一箇の加わる圧力１００キロとする７００キロとなり残りは７００キロの浮力となり、浮力を境に重力側ボンベ８が５６箇全てが重力と働き、２８００キロ＋７００キロ＝３５００キロが働く。垂直型持続再生運動を回転エネルギーに変換し、永久エネルギーとして発電を行う。
【請求項２】
上記の基本枠の本体を用い支柱２（１）と支柱２（２）の上部へホイル６（Ａ）をシャフト５（Ａ）に付した。シャフト５（Ａ）をベヤリング１２（Ａ）へ送入付設する。さらに支柱２（２）の下部へホイル６（Ｂ）をシャフト５（Ｂ）に付した、シャフト５（Ｂ）をベヤリング１２（Ｂ）へ送入付設する。さらに付設したホイル６（Ａ）上部とホイル６（Ｂ）下部にボンベ８を１６箇係合し、水平にボンベ８を半巻に付設する。上支柱ホイル６（Ａ）と下支柱ホイル６（Ｂ）を境に浮力側ボンベ８の１箇の重量５００キロ×ボンベ８が８箇＝４０００キロとなる。常時水槽にの中にボンベ８が４箇入っている。２０００キロの浮力が動く、残りの４箇分の水槽外のボンベ８は常時動輪として働く。さらにシリンダー７から水槽に入るときの水圧がボンベ１箇に加わる圧力は１０００キロの水圧となる。浮力を境に重力側ボンベ８が８箇は４０００キロ重量となる。４０００キロ＋１０００キロ＝５０００キロの重量となり、５０００キロの重量が働く水平型持続再生運動を回転エネルギーに変換し永久エネルギーとして発電を行う。さらに上記のボンベ数、ボンベの太さ等を変換することで力量は無限となる。
【発明の詳細な説明】
【技術分野】
【技術分野】
【０００１】本発明は、浮力と重力比較の重量が回転運動になる
【背景技術】
【０００２】本発明は、現在の発電には水力、風力、地熱、波力、化石燃料とある。これは燃やせばＣＯ２が生産され、大気汚染源となり、原子力発電に至っては通常運転で使用済み燃料が高レベルの放射性物質を生産する。この放射性物質こそが地球上に山積みとなり、何年、何百年、何万年経ても減少しない。又、あらゆる生物の細胞、生命を破壊する。人類の滅亡に至らすことに心を砕き、代替として永久動力機を今ここに発案するに至りました。
【発明が解決しようとする課題】
【０００３】しかるに、上記化石燃料は燃やせばＣＯ２が生産、大気汚染源となり、原子力発電に至っては通常運転で高レベルの放射性物質を生産する。あらゆる生物の細胞、生命を破壊する。これらを苦慮し、浮力と重力を組み合わせた永久エネルギーをここに発案に至りました。
【０００４】本発明は上記の問題点を解決するもので、浮力と重力比較の重量が回転出力軸へ転換し発電機に接続し発電を行う。
【課題を解決しようとする手段】
【０００５】上記目的を達成すべく、請求項１に記載の発明の要旨は基礎と基本枠をアンカで設置し、支柱２（１）、支柱２（２）最上部を桁３をボルトで連結する。支柱２（１）と支柱２（２）の上部と下部にベヤリング１２を４箇所へ付設。そのベヤリング１２に、シャフト５（Ａ）、シャフト５（Ｂ）へホイル６を８箇等間隔に連なる物を送入付設する。シャフト５（Ａ）、シャフト５（Ｂ）を支柱２（２）の上部と下部のベヤリング１２付設位置の４箇所へ送入付設、さらに浮力用の水槽４を支柱２（１），支柱２（２）の上部と下部付設位置水槽の４ヶ所へ付設する。水槽の直下底に、垂直型ボンベ８の間隔は密度を保ち、さらにシリンダーは自由自在振動するように設計を成した。さらに上記基本枠を設置した、上部と下部のベヤリング１２付設位置へ上記ベアリング１２へシャフト５（Ａ）にオイル６（Ａ）付を上部へシャフト１２（Ｂ）、ホイル６（Ｂ）付を下部へボンベ８を１６箇連設した垂直型ボンベ８を７連を付設する。シャフト５（Ａ）にホイル６（Ａ）付し、シャフト５（Ｂ）にホイル６（Ｂ）の上支点と下支点を境に垂直型とし浮力側５６箇中２８箇の垂直型ボンベ８が常時水槽４へ入る。重力側５６箇となる様構成した。
【０００６】上記を構成する基本枠の支柱２（１）、支柱２（２）のホイル６（Ａ）とホイル６（Ｂ）へ垂直型ボンベ８の１箇の重量５０キロ、浮力側ボンベ８・５６箇中２８箇常時水槽４の中に入る。１４００キロの浮力が働く、同じ浮力側に垂直型ボンベ８が２８箇、残り動輪として働く。上支点を境に、重力側はボンベ８・５６箇が２８００キロとなり、持続再生動力を回転運動に変換、発電機へベルトで接続し発電を行う永久エネルギーを開発する。
【０００７】上記を構成する基本枠の支柱２（１）、支柱２（２）の上部へシャフト５（Ａ）にホイル６（Ａ）の上部とホイル６（Ｂ）の下部へ水平型ボンベ８が１６箇継いだ水平型ボンベ８を水平に半巻に付設。上支点を境に浮力側水平型ボンベ８の１箇５００キロ×８箇＝４０００キロになる常時水槽の中に水平型ボンベ８が４箇入る。２０００キロは浮力が働く。残りの４箇は動輪と働く。さらに上支点を境に重力側は常時、重力側は４０００キロの重さが働き、持続再生動力を回転運動に変換し発電を行う永久エネルギーを開発します。さらに上記のボンベ数、ボンベの大きさ等々を変換することで、力量は無限となる。
【図面の簡単な説明】
【０００８】
【図１】永久エネルギー垂直型ボンベ８浮力側断面図
【図２】永久エネルギー垂直型ボンベ８重力側断面図
【図３】永久エネルギー垂直型ボンベ８浮力側と重力側断面図
【図４】永久エネルギー水平型ボンベ８浮力側断面図
【図５】永久エネルギー水平型ボンベ８重力側断面図
【図６】永久エネルギー水平型ボンベ８直横断面図
【符号の説明】
【０００９】  １  基礎部、アンカ、支柱２（１）、支柱２（２）の基底部と固定用取付金具
２  支柱、支柱２（１）と支柱２（２）から成る。
３  桁支柱２（１）と支柱２（２）２本の上部を、桁３によりボルトで連結する。
４  水槽浮力用として満水、４ヶ所を支柱２（１）（２）の上部、支柱２（１）（２）    下部をボルトにより付設。
５  シャフト５（Ａ）（Ｂ）、ホイル６・８個を等間隔に付したシャフト５（Ａ）上部    と下部（Ｂ）に付する。
６  ホイルボンベ８・１６連結し等間隔に授け支える。ホイルはボンベをガイドする。
７  シリンダー水槽の直底に７箇付設し、さらにシリンダーはボンベとボンベ継手の間    隔の高さとする。
８  垂直型ボンベ、浮力側５６箇、重力側５６箇  合計１１２箇。
水平型ボンベ、浮力側８箇、重力側１８箇  合計１６箇。
９  ホイル大、発電機１０と連結する。
１０  発電機、固定金具
１１  ベルト
１２  ベヤリング支柱２（１）上部と下部。支柱２（２）上部と下部の４箇所に付設。
上記のボンベ数、ボンベの太さ等々を変換することで力量は無限となる。
2014109269.tif 000002
2014109269.tif 000003
2014109269.tif 000004
2014109269.tif 000005
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
基本枠を設置するための基礎部を設け、基本枠を設置する。その基本枠に支柱２（１）、支柱２（２）の上部のホイル６（Ａ）付シャフト５（Ａ）を上部ベヤリングに１２へ送入付設、さらに支柱２（１）、支柱２（２）の下部のホイル６（Ｂ）付シャフト５（Ｂ）を下部のベヤリング１２へ送入付設、その上部のホイル６（Ａ）より水槽のシリンダー７へボンベ８の７係合したボンベを通し、下部のホイル６（Ｂ）へ付設する、上部のホイル６（Ａ）へ係合したボンベ７連を、下部のホイル６（Ｂ）に付設位置へ付設し、さらにホイル６（Ａ）上支点、ホイル６（Ｂ）した支柱を境に、浮力側と重力側に分かれる、ボンベ８の１箇の重量は５０キロ。浮力側ボンベ８が５６箇中ボンベ２８箇は常時水槽４に入るボンベ８の２８箇は１４００キロの浮力が働く、残りの水槽外のボンベ８は常時動輪として働く、さらにボンベ８がシリンダー７から水槽に入る時の水圧が７箇に加わる圧力３５０キロとする１４００キロとなり残りは１４００キロの浮力となり、浮力を境に重力側ボンベ８の２８箇が重力と働き、１４００キロが働く。垂直型持続再生運動を回転エネルギーに変換し、永久エネルギーとして発電を行う。さらに上記のボンベ数、ボンベの太さ等を変換することで力量は無限と成る。
【請求項２】
上記の基本枠の本体を用い支柱２（１）と支柱２（２）の上部へホイル６（Ａ）をシャフト５（Ａ）に付した。シャフト５（Ａ）をベヤリング１２（Ａ）へ送入付設する。さらに支柱２（２）の下部へホイル６（Ｂ）をシャフト５（Ｂ）に付した、シャフト５（Ｂ）をベヤリング１２（Ｂ）へ送入付設する。さらに付設したホイル６（Ａ）上部とホイル６（Ｂ）下部にボンベ８を１６箇係合し、水平にボンベ８を半巻に付設する。上支柱ホイル６（Ａ）と下支柱ホイル６（Ｂ）を境に浮力側ボンベ８の１箇の重量５００キロ×ボンベ８が８箇＝４０００キロと成る。常時水槽の中にボンベ８が４箇入っている。２０００キロの浮力が動く、残りの４箇分の水槽外のボンベ８は常時動輪として働く。さらにシリンダー７から水槽に入るときの水圧がボンベ１箇に加わる圧力は５００キロの水圧となる。浮力を境に重力側ボンベ８の４箇は２０００キロ重量と成る。さらに水槽の浮力側に対比し重力側は同等の比重量を生む。２０００キロの重量となり、２０００キロの重量が働く水平型持続再生運動を回転エネルギーに変換し永久エネルギーとして発電を行う。さらに上記のボンベ数、ボンベの太さ等を変換することで力量は無限と成る。
【手続補正２】
【補正対象書類名】明細書
【補正対象項目名】全文
【補正方法】変更
【補正の内容】
【発明の詳細な説明】
【技術分野】
【技術分野】
【０００１】本発明は、浮力と重力比較の重量が回転運動になる
【背景技術】
【０００２】本発明は、現在の発電には水力、風力、地熱、波力、化石燃料とある。これは燃やせばＣＯ２が生産され、大気汚染源となり、原子力発電に至っては通常運転で使用済み燃料が高レベルの放射性物質を生産する。この放射性物質こそが地球上に山積みとなり、何年、何百年、何万年経ても減少しない。又、あらゆる生物の細胞、生命を破壊する。人類の滅亡に至らすことに心を砕き、代替として永久動力機を今ここに発案するに至りました。
【発明が解決しようとする課題】
【０００３】しかるに、上記化石燃料は燃やせばＣＯ２が生産、大気汚染源となり、原子力発電に至っては通常運転で高レベルの放射性物質を生産する。あらゆる生物の細胞、生命を破壊する。これらを苦慮し、浮力と重力を組み合わせた永久エネルギーをここに発案に至りました。
【０００４】本発明は上記の問題点を解決するもので、浮力と重力比較の重量が回転出力軸へ転換し発電機に接続し発電を行う。
【課題を解決しようとする手段】
【０００５】上記目的を達成すべく、請求項１に記載の発明の要旨は基礎と基本枠をアンカで設置し、支柱２（１）、支柱２（２）最上部を桁３をボルトで連結する。支柱２（１）と支柱２（２）の上部と下部にベヤリング１２を４箇所へ付設。そのベヤリング１２に、シャフト５（Ａ）、シャフト５（Ｂ）へホイル６を８箇等間隔に連なる物を送入付設する。シャフト５（Ａ）、シャフト５（Ｂ）を支柱２（２）の上部と下部のベヤリング１２付設位置の４箇所へ送入付設、さらに浮力用の水槽４を支柱２（１），支柱２（２）の上部と下部付設位置水槽の４ヶ所へ付設する。水槽の直下底に、垂直型ボンベ８の間隔は密度を保ち、さらにシリンダーは自由自在振動するように設計を成した。さらに上記基本枠を設置した、上部と下部のベヤリング１２付設位置へ上記ベアリング１２へシャフト５（Ａ）にホイル６（Ａ）付を上部へシャフト１２（Ｂ）、ホイル６（Ｂ）付を下部へボンベ８を１６箇連設した垂直型ボンベ８を７連を付設する。シャフト５（Ａ）にホイル６（Ａ）付し、シャフト５（Ｂ）にホイル６（Ｂ）の上支点と下支点を境に垂直型とし浮力側５６箇中２８箇の垂直型ボンベ８が常時水槽４へ入る。重力側５６箇となる様構成した。
【０００６】上記を構成する基本枠の支柱２（１）、支柱２（２）のホイル６（Ａ）とホイル６（Ｂ）へ垂直型ボンベ８の１箇の重量５０キロ、浮力側ボンベ８・５６箇中２８箇常時水槽４の中に入る。１４００キロの浮力が働く、同じ浮力側に垂直型ボンベ８が２８箇、残り動輪として働く。上支点を境に、重力側はボンベ８が２８箇が１４００キロとなり、持続再生動力を回転運動に変換、発電機へベルトで接続し発電を行う永久エネルギーを開発する。
【０００７】上記を構成する基本枠の支柱２（１）、支柱２（２）の上部へ、シャフト５（Ａ）にホイル６（Ａ）の上部とホイル６（Ｂ）の下部へ水平型ボンベ８が１６箇継いだ水平型ボンベ８を水平に半巻に付設。上支点を境に浮力側水平型ボンベ８の１箇５００キロ×８箇＝４０００キロになる常時水槽の中に水平型ボンベ８が４箇入る。２０００キロは浮力が働く。残りの４箇は動輪と働く。さらに上支点を境に重力側は常時、重力側は２０００キロの重さが働き、計２０００キロと成る持続再生動力を回転運動に変換し発電を行う永久エネルギーを開発します。さらに上記のボンベ数、ボンベの大きさ等々を変換することで、力量は無限と成る。
【図面の簡単な説明】
【０００８】
【図１】永久エネルギー垂直型ボンベ８と浮力側水槽と重力側ボンベ８の本体断面図
【図２】水圧防止用三角錐を自動で移動する装置
【図３】永久エネルギー浮力側の水槽４と垂直型ボンベ８が５６箇
【図４】永久エネルギー重力側の垂直型ボンベ８が５６箇
【図５】永久エネルギー水平型ボンベ８と浮力側水槽と重力側ボンベ８の本体断面図
【図６】水圧防止用三角錐を自動で移動する装置
【図７】永久エネルギー浮力側の水槽と水平型ボンベ８が８箇
【図８】永久エネルギー重力側の水平型ボンベ８が８箇
【符号の説明】
【０００９】  １  基礎部、アンカ、支柱２（１）、支柱２（２）の基底部と固定用取付金具
２  支柱、支柱２（１）と支柱２（２）から成る。
３  桁支柱２（１）と支柱２（２）２本の上部を、桁３によりボルトで連結する。
４  水槽４浮力用として満水、６ヶ所を支柱２（１）２（２）の上部、支柱２（１）２（２）下部をボルトにより付設。
５  シャフト５（Ａ）５（Ｂ）、ホイル６・８個を等間隔に付したシャフト５（Ａ）上部と下部５（Ｂ）に付する。
６  ホイルボンベ８・１６連結し等間隔に授け支える。ホイルはボンベをガイドする。
７  シリンダー水槽の直底に７箇付設し、さらにシリンダーはボンベとボンベ継手の間隔の高さとする。
８  垂直型ボンベ、浮力側５６箇、重力側５６箇  合計１１２箇。
水平型ボンベ、浮力側８箇、重力側８箇  合計１６箇。
９  ホイル大、発電機１０と連結する。
１０  発電機、固定金具
１１  ベルト
１２  ベヤリング支柱２（１）上部と下部。支柱２（２）上部と下部の４箇所に付設。
１３  ボンベとボンベの継手丁番
１４  水圧防止用三角錐を自動で移動する装置
１５  ボンベがシリンダーより水槽に入り込む時水圧を防止する三角錐４箇から成る
１６  水圧防止用三角錐チェーンへボルトで止める
上記のボンベ数、ボンベの太さ等々を変換することで力量は無限と成る。
【手続補正３】
【補正対象書類名】図面
【補正対象項目名】全図
【補正方法】変更
【補正の内容】
【図１】
2014109269.tif 000006
【図２】
2014109269.tif 000007
【図３】
2014109269.tif 000008
【図４】
2014109269.tif 000009
【図５】
2014109269.tif 000010
【図６】
2014109269.tif 000011
【図７】
2014109269.tif 000012
【図８】
2014109269.tif 000013